(57)【要約】【課題】  良好に音声を伝達する再生システムを提供する。【解決手段】  再生システムは、基準点Ｇに対向して配置される表示パネルの屈曲面３１０の屈曲角度を、スピーカ４００から出力された音声が基準点Ｇに向かう方向に反射される状態に制御をした。このため、スピーカ４００から出力した音声が利用者Ｘの前方の表示パネル３００側から基準点Ｇに伝達される。したがって、良好な音声の伝達が実施できる。【選択図】  図３
2006030795.tif 000002
【特許請求の範囲】
【請求項１】
音声を出力する音声出力手段から所定の方向に対して音声を出力させ、前記音声出力手段に対向して配置される反射板に前記音声を反射させて基準点にこの音声を伝達させる音声調整装置であって、
前記基準点と前記反射板との離間距離に応じて、前記音声を前記基準点に向かう方向に反射させる状態に前記反射板を制御する
ことを特徴とした音声調整装置。
【請求項２】
請求項１に記載の音声調整装置であって、
前記音声出力手段は、狭指向性スピーカを備えた
ことを特徴とした音声調整装置。
【請求項３】
請求項１または請求項２に記載の音声調整装置であって、
前記音声が前記基準点に向かう方向に反射される状態に反射角度を調整する角度調整手段を具備した
ことを特徴とした音声調整装置。
【請求項４】
請求項１または請求項２に記載の音声調整装置であって、
前記音声を前記基準点に向かう方向に反射させる状態に屈曲させる制御をする角度調整手段を具備した
ことを特徴とした音声調整装置。
【請求項５】
請求項４に記載の音声調整装置であって、
前記反射板の、前記音声出力手段から入射した前記音声を反射させる位置に関する音声反射位置情報を認識する音声反射位置認識手段と、
前記音声反射位置から前記基準点を基点として所定方向に伸ばした基準線におろした垂線の足である反射基準点を認識する反射基準認識手段と、
前記反射基準点から前記音声反射位置までの反射離間距離、および前記基準点から前記反射基準点までの基準離間距離を認識する距離認識手段と、
前記反射離間距離および前記基準離間距離に基づいて、前記音声の反射方向を演算する演算手段と
を具備し、
前記角度調整手段は、前記反射方向に基づいて前記反射板を屈曲させる
ことを特徴とした音声調整装置。
【請求項６】
請求項５に記載の音声調整装置であって、
前記角度調整手段は、前記反射板の前記音声出力手段から出力された前記音声が入射する領域における略中心点に音声が入射する前記入射方向と、前記略中心点における音声の前記反射方向との挟角の２等分線が前記略中心点における接線方向と略垂直に交差するように前記反射板を屈曲させる
ことを特徴とした音声調整装置。
【請求項７】
請求項１ないし請求項６のいずれかに記載の音声調整装置であって、
前記反射板は、少なくとも一部に前記音声の状態を変化させる状態変化手段を備えた
ことを特徴とした音声調整装置。
【請求項８】
請求項７に記載の音声調整装置であって、
前記状態変化手段は、前記音声を通過させる通過孔を開閉する開閉手段を備えた
ことを特徴とした音声調整装置。
【請求項９】
請求項７または請求項８に記載の音声調整装置であって、
前記状態変化手段は、前記音声を反射させる部材の硬さを変更する硬さ変更手段を備えた
ことを特徴とした音声調整装置。
【請求項１０】
基準点に対向して配置される反射板と、
前記反射板に対向して配置され、所定の方向に音声を出力させる音声出力手段と、
前記基準点と前記反射板との離間距離を認識する距離認識手段と、
前記距離認識手段に基づいて、前記音声を前記基準点に向かう方向に反射させる状態に前記反射板の反射角度を演算する演算手段と、
前記演算手段にて演算した前記反射角度に基づいて、前記反射板の反射角度を調整する角度調整手段と、
を具備したことを特徴とした音声調整装置。
【請求項１１】
請求項１０に記載の音声調整装置であって、
前記音声出力手段は、複数設けられ、
前記反射板は、前記複数の音声出力手段から出力された音声をそれぞれ前記基準点に向かって反射させる
ことを特徴とした音声調整装置。
【請求項１２】
請求項１０または請求項１１に記載の音声調整装置であって、
前記距離認識手段は、前記基準点と前記音声出力手段が配置される位置との略中間となる離間位置から前記基準点までの距離を認識し、
前記演算手段は、前記反射板および前記基準点の離間距離、および前記離間位置から前記基準点までの距離に基づいて前記反射板の反射角度を設定する
ことを特徴とした音声調整装置。
【請求項１３】
請求項１ないし請求項１２のいずれかに記載の音声調整装置と、
前記基準点に対向して配置されて映像を表示する表示手段と、
を具備したことを特徴とした再生装置。
【請求項１４】
請求項１３に記載の再生装置であって、
前記反射板は、前記表示手段の表示面に隣接する状態に前記表示手段に設けられた
ことを特長した再生装置。
【請求項１５】
請求項１３に記載の再生装置であって、
前記音声調整装置は、前記表示手段の表示面の少なくとも一部を前記反射板として構成された
ことを特徴とした再生装置。
【請求項１６】
請求項１５に記載の再生装置であって、
前記角度調整手段は、一部を前記音声出力手段から出力された前記音声を前記基準点に向かって反射させる角度に前記表示手段を変形させる
ことを特徴とした再生装置。
【請求項１７】
請求項１３ないし請求項１６のいずれかに記載の再生装置であって、
前記表示手段は、液晶表示パネル、エレクトロルミネセンスパネル、電気泳動ディスプレイパネルのうちのいずれか１つである
ことを特徴とした再生装置。
【発明の詳細な説明】
【技術分野】
【０００１】
本発明は、基準点に対向して配置される音声を出力する音声出力手段の音声出力状態を調整する音声調整装置および再生装置に関する。
【背景技術】
【０００２】
従来、椅子の後方にスピーカを配置した発音装置が知られている（例えば、特許文献１参照）。特許文献１に記載の発音装置は、椅子の後方にスピーカ部を取り付けた構造の音楽鑑賞用椅子である。この特許文献１に記載の音楽鑑賞用椅子では、椅子の後方に配置されたスピーカ装置から音を前方に向けて出力する。
【０００３】
【特許文献１】特開２００２−２９１５７９号公報
【発明の開示】
【発明が解決しようとする課題】
【０００４】
ところで、特許文献１に記載のような発音装置では、スピーカ部から出力された音声は、利用者の後方から直接利用者の耳に伝達される。しかしながら、このように、利用者の後方から直接伝達された音声では、聞き取りにくい場合があり、的確に音声を認識することができないおそれがあるという問題が一例として挙げられる。
【０００５】
本発明では、このような点に鑑み、良好に音声を伝達する音声調整装置および再生装置を提供することを目的とする。
【課題を解決するための手段】
【０００６】
請求項１に記載の発明は、音声を出力する音声出力手段から所定の方向に対して音声を出力させ、前記音声出力手段に対向して配置される反射板に前記音声を反射させて基準点にこの音声を伝達させる音声調整装置であって、前記基準点と前記反射板との基準離間距離Ｌに応じて、前記音声を前記基準点に向かう方向に反射させる状態に前記反射板を制御することを特徴とした音声調整装置である。
【０００７】
請求項１０に記載の発明は、基準点に対向して配置される反射板と、前記反射板に対向して配置され、所定の方向に音声を出力させる音声出力手段と、前記表示手段と前記基準点との間に配置され、前記音声を前記基準点に向かって反射させる反射板と、前記基準点と前記反射板との基準離間距離Ｌを認識する距離認識手段と、前記距離認識手段に基づいて前記音声を前記基準点に向かう方向に反射させる状態に前記反射板の反射角度を演算する演算手段と、前記演算手段にて演算した前記反射角度に基づいて前記反射板の反射角度を調整する角度調整手段と、を具備したことを特徴とした音声調整装置である。
【０００８】
請求項１３に記載の発明は、請求項１ないし請求項１２のいずれかに記載の音声調整装置と、前記基準点に対向して配置されて映像を表示する表示手段と、を具備したことを特徴とした再生装置である。
【発明を実施するための最良の形態】
【０００９】
以下に、本発明の一実施の形態を図面に基づいて説明する。本実施の形態では、本発明の音声調整装置を備えた再生システムの構成を例示して説明するが、これに限らず、単に再生装置として独立形態としたもの、さらには再生装置を構成し音像位置を調整する音声調整装置として独立形態としたものなどとすることができる。図１は、本実施の形態における再生システムの概略構成を示す斜視図である。図２は、再生システムの概略構成を示すブロック図である。図３は、再生システムの音声伝達状況を示す断面図である。図４は、表示パネルの屈曲状況を示す説明図である。
【００１０】
（再生システムの構成）
図１において、１００は再生装置としての再生システムで、この再生システム１００は、音データを音としておよび像データを映像として出力すなわち再生する装置である。この再生システム１００は、図１および図２に示すように、椅子２００と、表示手段としての表示パネル３００と、音声出力手段としてのスピーカ４００と、再生処理手段５００と、を備えている。そして、再生システム１００は、表示パネル３００および再生処理手段５００にて表示装置６００が構成され、表示パネル３００、スピーカ４００、および再生処理手段５００にて音声調整装置としての音響装置７００が構成される。
【００１１】
椅子２００は、図１に示すように、一対の肘掛け部２１０と、腰掛け部２２０と、背もたれ部２３０と、足掛け部２４０と、を備えている。肘掛け部２１０は、略矩形状に形成され、下端に床面上に載置される脚部２１１がそれぞれ設けられている。さらに、肘掛け部２１０の少なくともいずれか一方は、上面に向けて開口し上端面に回動可能に設けられた肘掛け板部２１２にて開閉される収容空間２１３を有している。腰掛け部２２０は、一対の肘掛け部２１０間に架橋するようにそれぞれ連結されて設けられている。背もたれ部２３０は、利用者が寄り掛かる背もたれ面２３１の鉛直方向に対する傾斜角度が変更可能に腰掛け部２２０に回動可能に軸支されている。また、背もたれ部２３０には、肘掛け部２１０の対向方向に略沿って対向する一対のスピーカ４００が背もたれ面２３１から進退可能に配設されている。足掛け部２４０は、背もたれ部２３０と同様に、利用者が足を乗せる足乗せ面２４１の鉛直方向に対する傾斜角度が変更可能に腰掛け部２２０に回動可能に軸支されている。そして、椅子２００の腰掛け部２２０、背もたれ部２３０および足掛け部２４０には、例えばスピーカや振動子など、腰掛ける利用者が体感可能に音データの再生に対応する振動を発生する図示しない振動発生部が配設されている。
【００１２】
表示パネル３００は、水平方向である左右方向に長手となる略薄型矩形に形成され、少なくとも左右方向で湾曲変形可能に構成されている。この表示パネル３００としては、例えば液晶表示パネルやエレクトロルミネセンス（ＥＬ：Electro Luminescence）パネル、電気泳動ディスプレイパネルなど、可撓性を有し屈曲変形可能な構成が例示できる。さらに、表示パネル３００は、周縁にしたがって可撓性が高くなる、すなわち屈曲しやすくなる反射板としての屈曲面３１０を形成している。この構成としては、例えば図３に示すように、周縁にしたがって厚さ寸法が薄くなる構成としたり、周縁にしたがって軟質となる構成としたり、中央にしたがって剛性が高くなるように図示しない補強材を設けたりするなどが例示できる。そして、この表示パネル３００は、椅子２００の肘掛け部２１０の収容空間２１３内に進退可能に設けられた支持部２６０に、収容空間２１３内に表示パネル３００を収容可能に表示パネル３００の表示面が背もたれ部２３０の背もたれ面２３１に略対向する状態に支持される。また、支持部２６０には、図３に示すように、表示パネル３００の表示面と、基準点となる椅子２００に腰掛けた利用者Ｘとの距離を可変、すなわち表示パネル３００を前後方向に移動させる例えば電動モータなどの移動手段２６１が設けられている。この移動手段２６１は、例えば肘掛け部２１０に設けられた再生処理手段５００の図示しない調整つまみなどの操作手段５１０の入力操作に対応して再生処理手段５００から出力させる制御信号により駆動し、表示パネル３００を前後方向に移動させる。なお、図３において、矢印は、スピーカ４００から出力された音声の振動領域の略中心線を示している。
【００１３】
スピーカ４００は、上述したように、椅子２００の背もたれ部２３０に進退可能に配設されている。進退可能に移動する寸法としては、例えばスピーカ４００から出力された音声が直接利用者に伝達されない、あるいは伝達を抑制できる長さに設定される。つまり、利用者が椅子２００に腰掛けて後頭部を背もたれ部２３０にもたれさせたときに、スピーカ４００の前面側が利用者の耳の位置より前方側に突出するように設定されている。また、このスピーカ４００としては、表示パネル３００の方向にのみ音声を出力する例えば狭指向性スピーカを利用することが好ましい。
【００１４】
そして、スピーカ４００は、再生処理手段５００に接続され、再生処理手段５００からの制御信号により背もたれ部２３０から進退されるとともに、再生処理手段５００から出力される音データを前方側に配設される表示パネル３００に向かって音声として出力する。
【００１５】
再生処理手段５００は、椅子２００に配設され、像データを映像として出力すなわち再生したり、音データを音声として出力すなわち再生したりする。そして、再生処理手段５００は、上述した操作手段５１０と、再生処理部５２０と、屈曲調整装置５３０と、を備えている。
【００１６】
操作手段５１０は、再生処理手段５００の上端面に臨んで配設され入力操作される図示しない各種操作ボタンや操作つまみなどを有している。これら操作ボタンや操作つまみの入力操作の内容としては、例えば再生処理手段５００の動作内容の設定などの設定事項である。具体的には、表示パネル３００やスピーカ４００の進退移動の設定、音データや像データの再生開始や停止要求の設定、再生される音声の音特性の設定、画面表示として再生される映像の表示特性の設定などが例示できる。そして、操作手段５１０は、設定事項の入力操作により、所定の信号を再生処理部５２０や屈曲調整装置５３０へ適宜出力して設定させる。なお、この操作手段５１０としては、操作ボタンや操作つまみどの入力操作に限らず、例えば表示パネル３００に設けられたタッチパネルによる入力操作や、音声による入力操作など、各種設定事項を設定入力可能ないずれの構成が適用できる。
【００１７】
再生処理部５２０は、音データや像データを取得して適宜処理し、像データを表示パネル３００で画面表示させる画像処理や、音データをスピーカ４００で音声出力させる音声処理などを実施する。ここで、音データとしては、音声データや音楽データなど、スピーカ４００にて音声として出力されるデータである。また、像データとしては、画像データや映像データなど、表示パネル３００にて映像として画面表示により出力されるデータである。この再生処理部５２０は、例えば肘掛け部２１０に配設されたドライブの動作制御、あるいは椅子２００に配設された図示しない端子を介して入力された像データや音データを取得し、表示パネル３００で画面出力あるいはスピーカ４００で音声出力させる処理をする。ここで、ドライブとしては、例えばＣＤ（Compact Disc）やＤＶＤ（Digital Versatile Disc）、磁気ディスク、光磁気ディスク、メモリカードなどの各種記録媒体に記憶された像データや音データを読み取って適宜出力するいずれの構成が利用できる。また、像データや音データの取得する構成としては、例えば放送波に基づいて取得したデータ、インターネットやイントラネットなどのネットワークを介してデータを取得して適宜処理し出力するいずれの構成が利用できる。また、再生処理部５２０は、操作手段５１０による入力操作に応じた設定入力の信号により、移動手段２６１を動作させたり、表示パネル３００やスピーカ４００を進退移動させたりする。
【００１８】
屈曲調整装置５３０は、表示パネル３００を表示面側が凹状となる状態に屈曲変形させる。この屈曲調整装置５３０は、図２および図３に示すように、距離認識手段としての距離センサ５３１と、屈曲手段５３２と、演算手段５３３と、を備えている。
【００１９】
距離センサ５３１は、例えばクリアランスソナーなどが利用され、表示パネル３００の上端縁略中央に配設されている。この距離センサ５３１は、演算手段５３３に接続され、椅子２００に腰掛ける利用者と表示パネル３００の表示面との間の基準離間距離Ｌとしての離間距離Ｌを測定し、演算手段５３３に測定結果である基準離間距離Ｌに関する信号を出力する。また、距離センサ５３１は、離間位置としての利用者Ｘの頭部の両端部を認識し、頭部幅の寸法Ｎを測定する図示しない離間位置測定センサを備えている。そして、演算手段５３３に測定結果である頭部幅寸法Ｎに関する信号を出力する。なお、ここでは、利用者Ｘの頭部位置を認識して頭部幅寸法Ｎを測定する離間位置測定センサを備えた構成を示したが、これに限定されない。例えば、離間位置測定センサを備えない構成としてもよい。この場合、頭部幅寸法Ｎが予め設定されている構成であってもよく、また、頭部幅寸法Ｎを設定しない構成としてもよい。
【００２０】
屈曲手段５３２は、例えば表示パネル３００を支持する支持部２６０に配設されるとともに演算手段５３３に接続され、演算手段５３３による制御により表示パネル３００を屈曲させる。この屈曲手段５３２は、図３に示すように、一対の駆動部５３２Ａと、屈曲移動手段としてのリンク機構部５３２Ｂと、を備えている。駆動部５３２Ａは、例えばソレノイドや電動モータなどが利用され、表示パネル３００の背面で表示パネル３００の中心における左右方向で対称に配設される。リンク機構部５３２Ｂは、左右方向に長手状で、駆動部５３２Ａの駆動によりそれぞれ左右方向に移動可能に駆動部５３２Ａに配設された移動部５３２Ｂ１を備えている。この移動部５３２Ｂ１の左右方向の先端部には、長手状の付勢部５３２Ｂ２の一端が回動自在に連結されている。さらに、付勢部５３２Ｂ２の回動端となる先端には、表示パネル３００の左右方向の端縁に沿って配設された上下方向に長手状の補強部材５３２Ｂ３の略中央に回動自在に接続されている。そして、リンク機構部５３２Ｂは、演算手段５３３による駆動制御された駆動部５３２Ａの駆動により、移動部５３２Ｂ１が駆動部５３２Ａに対して左右方向に移動され、この移動部５３２Ｂ１の移動により付勢部５３２Ｂ２の補強部材５３２Ｂ３側が前後方向に回動する状態となる。
【００２１】
演算手段５３３は、例えばＣＰＵ（Central Processing Unit）で、距離センサ５３１から出力される基準離間距離Ｌに関する信号と、利用者Ｘの頭部幅寸法Ｎに関する信号と、屈曲面３１０におけるスピーカ４００から出力された音声が入射する音声反射位置までの反射位置に関する情報とに基づいて、表示パネル３００の屈曲部の屈曲角度を演算する。ここでは、音声反射位置とは、屈曲面３１０におけるスピーカ４００から出力された音声が入射する領域の略中心点の位置を指す。本実施の形態では、基準点Ｇから表示パネル３００に略垂直に基準線を引いたときに、音声が入射する領域の略中心点に到達する音声は、スピーカ４００から基準線に平行となるように出力される。したがって、図３に示すように、反射位置離間距離Ｌ２は、常に一定の値に設定される。
【００２２】
演算手段５３３による屈曲部の屈曲角度の演算では、演算手段５３３は、基準離間距離Ｌおよび頭部幅寸法Ｎに基づいて、利用者Ｘの頭部の両端位置、すなわち利用者Ｘの耳の位置を認識する。そして、音声反射位置、および反射位置離間距離Ｌ２とこの利用者の両端位置とを結ぶ反射方向を演算する。次に、スピーカ４００から音声が入射する入射方向と、演算した反射方向とに挟まれる挟角を認識し、この挟角の２等分線と屈曲面３１０とが略垂直に交差するような屈曲面３１０の屈曲角度を演算する。
【００２３】
なお、距離センサ５３１は、表示パネル３００から基準点Ｇまでの距離Ｌのみを測定し、演算手段５３３は、屈曲面３１０にて反射された音声がこの基準点Ｇに集音されるように反射方向を演算する処理をしてもよい。
【００２４】
そして、演算手段５３３は、屈曲面３１０の屈曲角度を認識する演算により、屈曲手段５３２にて表示パネル３００を屈曲させる処理、すなわちリンク機構部５３２Ｂの移動部５３２Ｂ１が左右方向側へ所定量進出する状態に駆動部５３２Ａを駆動させる制御をする。具体的には、図４に示すように、表示パネル３００が基準点Ｇ、すなわち利用者Ｘの表示パネル３００との対向点から離れたＡの位置では、表示パネル３００の通常の屈曲でスピーカ４００から出力された音声が利用者の頭部幅の位置に反射される。したがって、屈曲手段５３２を動作させず表示パネル３００を屈曲させない。
【００２５】
そして、表示パネル３００が基準点Ｇに近づくＢの位置では、演算手段５３３にて演算した屈曲面３１０の屈曲角度に基づいて、表示パネル３００の左右方向における屈曲面３１０が基準点Ｇ側に屈曲する状態、すなわちリンク機構部５３２Ｂの移動部５３２Ｂ１が基準離間距離Ｌに対応して左右方向で所定量進出する状態に駆動部を駆動させて表示パネル３００の左右方向の両端部を基準点Ｇ側に屈曲させる。
【００２６】
さらに、表示パネル３００が基準点Ｇに近づくＣの位置では、屈曲面３１０で音声を反射させる反射角度が大きくなる。したがって、リンク機構部５３２Ｂの移動部５３２Ｂ１が基準離間距離Ｌに対応して左右方向で所定量でより進出する状態に駆動部５３２Ａを駆動させ、より表示パネル３００の両端側が基準点Ｇ側に屈曲する状態に制御する。
【００２７】
このように、表示パネル３００の両端側を基準点Ｇ側に付勢する量を基準離間距離Ｌおよび頭部幅寸法Ｎに対応して制御をすれば、表示パネル３００は両端側にしたがって屈曲しやすい状態に形成されていることから、両端側にしたがって曲率半径が小さくなる状態に表示パネル３００が屈曲される。例えば、基準離間距離Ｌおよび頭部幅寸法Ｎに応じて、あらかじめ設定された移動部５３２Ｂ１の移動量や駆動部５３２Ａの駆動時間などを認識し、これら移動量や駆動時間となる状態に駆動部５３２Ａを駆動するなどにより、基準離間距離Ｌの長さおよび頭部幅寸法Ｎに対応して表示パネル３００の両端縁の基準点Ｇ側への移動量が変更され、屈曲状態が変更される。
【００２８】
（再生システムの動作）
次に、上記再生システム１００の動作について説明する。
まず、椅子２００に腰掛けた利用者Ｘが、肘掛け部２１０の肘掛け板部２１２を回動して収容空間２１３に配設された再生処理手段５００の上面を開放し電源を投入すると、再生処理手段５００は初期設定を実施して入力待機状態となる。この状態で、利用者Ｘが所定の音データや像データなどの各種データの再生要求を操作手段５１０での入力操作により設定入力すると、再生処理部５２０が音データの場合にはスピーカ４００を背もたれ部２３０から進出させる処理をし、像データの場合には表示パネル３００を背もたれ部２３０に対向する位置に進出させる処理をする。さらに、再生処理部５２０は、要求対象のデータを所定の格納場所や配信元などから取得、例えばドライブから読み出したり、放送波を処理して取得したり、ネットワークを介して取得したりし、適宜処理する。そして、処理した音データはスピーカ４００から音声として出力させる再生処理を実施し、処理した像データは表示パネル３００で画面表示させる再生処理を実施する。
【００２９】
また、この再生処理における音データを画面表示させる際、距離センサ５３１は、基準離間距離Ｌおよび利用者Ｘの頭部幅寸法Ｎを測定し、測定結果を演算手段５３３に出力する。また、演算手段５３３は、基準離間距離Ｌとあらかじめ設定されている表示パネル３００の大きさとに基づいて、表示パネル３００における屈曲面３１０の屈曲角度を認識する演算をする。そして、演算手段５３３は、基準離間距離Ｌおよび頭部幅寸法Ｎに基づいて駆動部５３２Ａを適宜駆動させる。例えば、基準離間距離Ｌおよび頭部幅寸法Ｎの長さに対応して駆動部５３２Ａを適宜駆動させる。この駆動部５３２Ａの駆動により、基準離間距離Ｌの長さおよび頭部幅寸法Ｎに対応してリンク機構部５３２Ｂの移動部５３２Ｂ１が左右方向へ所定距離移動させ、付勢部５３２Ｂ２の補強部材５３２Ｂ３側が前後方向に所定量回動する状態となり、表示パネル３００の左右方向の両端縁が所定量で基準点Ｇ側へ付勢され、表示パネル３００の左右方向の両端部が所定量で屈曲される。
【００３０】
この表示パネル３００の屈曲した状態では、表示パネル３００の屈曲面３１０にて反射された音声が、利用者Ｘの頭部幅の位置に反射される。すなわち、左側のスピーカ４００から出力された音声は表示パネル３００の左側の屈曲面３１０にて反射されて利用者Ｘの左耳に伝達される。同様に、右側のスピーカ４００から出力された音声は、表示パネル３００の右側の屈曲面３１０にて反射されて利用者Ｘの右耳に伝達される。このため、利用者Ｘは、左右のスピーカ４００から出力された音声が表示パネル３００から出力されたような感覚となり、臨場感が向上した感覚が得られる。
【００３１】
（再生システムの作用効果）
上述したように、本実施の形態の再生システム１００では、基準点Ｇに対向して配置される表示パネルの屈曲面３１０の屈曲角度を、スピーカ４００から出力された音声がこの基準点Ｇに向かう方向に反射される状態に制御をしている。このため、スピーカ４００から出力した音声が利用者Ｘの前方の表示パネル３００側から基準点Ｇに伝達されるため、良好に音声が伝達されて聞きやすくなる。また、左右のスピーカ４００の音声が基準点Ｇに向かって集中するため、さらに、良好に音声を伝達でき、より音を聞き取りやすくなる。
【００３２】
また、スピーカ４００は、狭指向性の特性を有し、前方に向かって音声が出力される。このため、直接利用者Ｘに音声が伝達されず、表示パネル３００の屈曲面３１０に反射された音声のみが伝達される。したがって、利用者Ｘは、表示パネル３００から音声が出力されているように感じることができ、臨場感を向上させることができる。
【００３３】
また、表示パネル３００の表示面の左右方向における両端側領域を屈曲させて屈曲面３１０を形成し、音声を反射させている。このため、音声を反射させて臨場感を向上させるとともに、表示パネル３００に像データを表示させることもできる。また、このような構成では、表示パネル３００にて音声を反射させるので、利用者Ｘは表示パネル３００の像データから音声が出力されているように感じることができ、さらに臨場感を向上させることができる。
【００３４】
そして、表示パネル３００は、出力された音声を基準点Ｇ側に反射される角度に屈曲面３１０を屈曲させる屈曲手段５３２を備えている。このため、簡単な構成で表示パネル３００を屈曲させることができ、容易に良好な音声の伝達が実施できる。
【００３５】
また、演算手段５３３は、距離センサ５３１にて測定した基準離間距離Ｌおよび頭部幅寸法Ｎと、予め設定された反射位置離間距離Ｌ２と、に基づいて、音声が利用者Ｘの両端位置に集音されるように音声の反射方向を演算する。このため、スピーカ４００から出力された音声を屈曲面３１０で反射させる反射方向を容易に演算して求めることができる。
【００３６】
さらに演算手段５３３は、スピーカ４００から出力された音声が屈曲面３１０に当たる領域における略中心点において、音声の反射方向と音声の入射方向との挟角の２等分線が屈曲面３１０の接線方向と略垂直となるように屈曲角度を演算した。このため、この略中心点にて反射される音声を正確に利用者Ｘの両端位置に伝達させることができる。さらに、この略中心点にて反射された音声を中心として、この領域内に入射した音声を、利用者Ｘの両端位置近傍に反射させることができる。したがって、良好に音声を伝達することができる。
【００３７】
また、この時、基準離間距離Ｌと反比例して屈曲面３１０の両端側を基準点Ｇ側に移動させる構成にすることで、例えば基準離間距離Ｌが長い場合には屈曲角度の小さい屈曲面３１０が得られ、基準離間距離Ｌが短い場合には屈曲角度が大きい屈曲面３１０が得られる。このような構成にすることで、容易に所望の屈曲角度の屈曲面３１０を形成することができる。さらに、両端縁側にしたがって曲率半径が連続的に小さくなる状態に屈曲させる制御が、簡単な構成の屈曲手段５３２におけるリンク機構部５３２Ｂを動作させる駆動部５３２Ａの簡単な制御で容易に得られ、構成の簡略化や処理の高速化などが容易に得られる。
【００３８】
そして、距離センサ５３１は、利用者Ｘの頭部幅寸法Ｎを測定し、演算手段５３３は、頭部幅寸法Ｎおよび基準離間距離Ｌに基づいて、頭部幅の両端に音声が届くように表示パネル３００の左右の屈曲面３１０の屈曲角度を演算する。このため、左方向のスピーカ４００から出力された音声は利用者Ｘの左耳に、また右方向のスピーカ４００から出力された音声は利用者Ｘの右耳に伝達される。したがって、例えば左右のスピーカ４００から異なった状態の音声が出力されるステレオタイプなどの音声の伝達において、左右それぞれのスピーカ４００から出力された音声を正確に利用者Ｘに伝達することができる。したがって、より臨場感のある音声を利用者Ｘに伝達することができる。
【００３９】
また、左右方向の両端縁側にしたがって屈曲しやすくなる状態に形成した表示パネル３００の両端縁を基準点Ｇ側に付勢している。このため、例えば上述したように、駆動部５３２Ａの駆動にてリンク機構部５３２Ｂを動作させて両端縁を付勢する構成で実現でき、簡単な構成で容易に臨場感が得られ、装置の小型化や製造性の向上などが容易に図れる。
【００４０】
さらに、スピーカ４００は、背もたれ部２３０から所定距離だけ進出して音声を出力する。このため、音声がスピーカ４００から直接利用者Ｘに伝達することを抑制できる。したがって、表示パネル３００から向かってくる音声をより強調できるため、より臨場感のある音声を表現できる。
〔実施の形態の変形例〕
【００４１】
なお、本発明は、上述した各実施の形態に限定されるものではなく、本発明の目的を達成できる範囲で以下に示される変形をも含むものである。
【００４２】
すなわち、表示装置６００および音響装置７００を椅子２００に構築した再生システム１００を例示して説明したが、テレビジョンのように単に表示装置６００のみの構成としたり、表示パネル３００を屈曲させる屈曲調整装置５３０を独立した構成として表示パネル３００に装着して利用する構成としたりするなど、いずれの利用形態を適用することができる。
【００４３】
また、本実施の形態では、表示パネル３００を屈曲させて屈曲面３１０を形成して音声を反射させる構成としたが、これに限らない。例えば表示パネルは、中央部の配置される中央表示パネルと、中央部の左右に配置される右側表示パネルおよび左側表示パネルにて構成されてもよい。この時、これらの中央表示パネルと右側表示パネルおよび左側表示パネルとは回動可能に連結されていることが好ましい。そして、基準点Ｇと表示パネルとの距離および利用者Ｘの頭部幅寸法により反射角度が演算され、この反射角度とに基づいて、右側表示パネルおよび左側表示パネルが所定の角度に回動される。このような構成では、可撓性を有する表示パネルを屈曲変形させて屈曲面を形成する必要がなく、中央パネルの左右の右側表示パネルおよび左側表示パネルを回動させるだけの構成でよいため、生産コストが安価になる。
【００４４】
また、表示パネル３００として、例えば液晶表示パネルやエレクトロルミネセンス（ＥＬ：Electro Luminescence）パネル、電気泳動ディスプレイパネルなど、を用いたが、その他の表示手段、例えばＣＲＴ（Cathode-Ray Tube)ディスプレイなどの可撓性を有しない表示手段であってもよい。この場合、上記の例と同様に、例えば中央部の配置される中央表示パネルと、中央部の左右に配置される右側表示パネルおよび左側表示パネルにて構成される表示パネルを用いてもよい。また、中央表示パネルの左右方向に音声を反射させるのみの反射板を設ける構成としてもよい。
【００４５】
そして、表示パネル３００の左右方向で屈曲させて説明したが、表示パネル３００の周縁を凹状に屈曲する状態に屈曲してもよい。この構成により、スピーカ４００から出力された音声をより効率よく利用者Ｘの頭部方向に反射させることができるので、より臨場感を向上できる。また、表示パネル３００に表示される映像に包まれる感覚も向上させることができる。
【００４６】
また、スピーカ４００は、出力された音声が直接利用者Ｘに伝達されない、あるいは直接の伝達を抑制できる長さ寸法だけ椅子２００の背もたれ部２３０から突出するとしたがこれに限らない。例えば、スピーカ４００と利用者Ｘとの間に防音壁を設けた構成としてもよい。このような構成では、スピーカを椅子２００に進退自在に設けなくても、スピーカ４００から直接利用者Ｘに音声が伝達されないので臨場感の低下を防止できる。
【００４７】
また、屈曲する屈曲手段５３２の構成としては、上述したリンク機構部５３２Ｂを備えた構成に限らず、例えば図５に示すような付勢する構成としてもよい。具体的には、図５に示すように、表示パネル３００の周縁に設けた補強部材５３２Ｂ３に略対向して駆動部５３２Ａを配設する。また、移動部５３２Ｂ１を長手方向が前後方向となる補強部材との対向方向に沿って進退可能に配設し、補強部材５３２Ｂ３に連結し、屈曲手段５５０を構成する。そして、表示パネル３００を屈曲させる場合には、移動部５３２Ｂ１を進出させ、直接的に付勢する構成としてもよい。
【００４８】
さらに、屈曲する構成として、上述した図１ないし図４に示す実施の形態や図５に示す実施の形態のような付勢する構成に限らず、例えば表示面の略中央を基準点Ｇに対して遠ざかる状態に移動させて屈曲させる構成としてもよい。具体的には、例えば図６に示すように、一面側に表示パネル３００の外形と略同形状の開口面を開口し、この開口面に向けて拡開する状態の案内部５６１を支持部２６０に固定する。この案内部５６１の略中央に設けた吸引孔にコンプレッサなどの移動手段としての吸気装置に連通するダクト５６２を設け、屈曲手段５６０を構成する。なお、案内部５６１は、内周面が表示パネルの周縁と略気密に接触するとともに、表示パネル３００の周縁全体が同等に滑動する状態に形成されている。そして、表示パネル３００を屈曲させる場合には、吸引装置を駆動させて表示パネル３００にて略気密に閉塞された案内部５６１内の空気を吸引する。このことにより、案内部５６１内の気圧が大気圧より小さくなり、表示パネル３００の表示面側が大気圧に押される状態となり、周縁にしたがって曲列半径が小さくなる状態に屈曲される。この構成では、左右方向のみならず周縁の略全周を屈曲させることが簡単な構成で得られる。なお、屈曲させる量は、吸引する空気量や案内部５６１内の気圧を検知し、これら検知結果に基づいて屈曲させる状態を制御すればよい。その他、いずれの方法で屈曲させてもよい。
【００４９】
さらには、図７に示すような表示手段としての表示パネル８００を用いる構成としてもよい。図７において、表示パネル８００は、左右方向および上方向に反射板としての屈曲面８１０が形成されている。そして、これらの屈曲面８１０にはそれぞれに屈曲手段５６０が設けられていて、基準離間距離Ｌおよび頭部幅寸法Ｎに応じて屈曲面８１０の屈曲角度を調整する。
【００５０】
このような構成では、表示パネル８００の上面側でも音声を利用者Ｘ側の頭部幅の位置に向かって反射するので、より臨場感を向上できる。また、表示パネル８００によって、基準点Ｇの周りを略囲うことができるので、外部からの雑音などをこの表示パネル８００により遮断することができる。したがって、スピーカ４００から出力された音声のみを正確に利用者Ｘに伝達することができる。また、図７において、表示パネル８００の左右方向および上方向に屈曲面８１０を設ける構成を示したが、さらに下方向に屈曲面を形成するものであってもよく、また利用者Ｘの前面側を覆う皿状の表示パネルを用いる構成としてもよい。
【００５１】
また、1対のスピーカ４００を背もたれ部２３０の左右方向に配置する構成を示したが、さらに多くのスピーカ４００が配置される構成としてもよい。背もたれ部２３０の上方側にもスピーカを配置した場合、たとえば図７に示すように上方向に屈曲面８１０が形成されていれば、この上方側のスピーカから出力された音声を基準点に伝達させることができる。
【００５２】
また、上記実施の形態では、表示パネル３００の両端側に屈曲手段５３２を設け、基準点Ｇに対して進退させて屈曲面３１０を形成する構成を示したが、これに限らない。例えば、表示パネルの略中心部を基準点Ｇに対して進退させて、屈曲面を得る構成としてもよい。
【００５３】
また、上記実施の形態では、表示パネル３００の左右方向の両端部を屈曲させて屈曲面３１０を構成したが、これに限らない。例えば、表示パネル３００の両端側に別途反射板を取り付ける構成としてもよい。このような構成では、従来の屈曲しない表示パネルの左右にこのような反射板を取り付けることで、上記実施の形態と同様に臨場感を向上させることができる。
【００５４】
さらに、表示パネルと基準点との間に透明性部材で形成された反射板を設けた構成としてもよい。このような構成では、表示画面と基準点との基準離間距離Ｌ関わらず、反射角度を一定に保つことができる。
【００５５】
また、図８に示すように、複数枚の反射板を重ね合わせた状態変更手段としての反射機構を用いた構成としてもよい。図８において、反射機構９００は、第１の反射板９１０と、第２の反射板９２０と、連結部９３０と、などを備えている。第１の反射板９１０は、反射機構９００の前方側、すなわち基準点Ｇとの間に第１の反射板９１０を挟んで配置されている。第１の反射板９１０は、例えば無色透明のガラスなどの素材で形成されている。また、この第１の反射板９１０には、互いに平行する複数の通過孔としてのスリット孔９１１が形成されている。第２の反射板９２０は、反射機構９００のスピーカ４００と対向する側に配置されている。第２の反射板９２０も第１の反射板９１０と同様に、無色透明のガラスなどの素材にて形成され、複数の通過孔としてのスリット孔９２１が形成されている。これらのスリット孔９１１，９２１の幅寸法、およびスリット孔９１１，９１２にて挟まれる第１および第２の反射板９１０，９２０の幅寸法とは、略同寸法に形成されている。
【００５６】
連結部９３０は、第１の反射板９１０および第２の反射板９２０を連結している。また、連結部９３０には、２本の平行する開閉手段としての反射板保持溝９３１が形成されている。連結部９３０は、第１および第２の反射板９１０，９２０の例えば上下方向に一対設けられ、反射板保持溝９３１に、第１の反射板９１０および第２の反射板９２０の端部を摺動可能に係合されて挟持する。
【００５７】
また、この反射機構９００には図示しないスライド手段が設けられている。このスライド手段は、第１の反射板９１０または第２の反射板９２０を反射板保持溝９３１に沿って摺動させる。このスライド手段は、再生処理手段５００と接続されている。そして、利用者による入力操作により、反射板９１０，９２０をスライド移動させる旨の要求入力が成された場合に、第１の反射板９１０を第２の反射板９２０に対してスライド移動させる。
【００５８】
そして、このような第１および第２の反射板９１０，９２０のスライド移動により、スリット孔９１１およびスリット孔９２１が重なった場合、反射機構９００はスピーカから出力された音声の一部をスリット孔９１１，９２１から通過させ、残部を反射させる。またスリット孔９１１およびスリット孔９２１がそれぞれ第２の反射板９２０および第１の反射板９１０に重なり、スリット孔が塞がっている場合、すべての音声を反射する。また、このスリット孔９１１またはスリット孔９２１の開口率、すなわちスリット孔９１１およびスリット孔９２１の重なり合う面積を調整することで反射させずに通過させる音声の割合を調整することもできる。
【００５９】
このような構成では、再生処理手段５００を操作することで、第１および第２の反射板９１０，９２０を摺動させ、音声を通過させる量を調整できる。これにより、音量を調整したり、音調を調整したりすることができる。
【００６０】
さらに、第１の反射板９１０、および第２の反射板９２０をそれぞれ硬さの異なった素材で形成する、例えば第１の反射板をガラスなどの硬い素材で形成し、第２の反射板を、弱吸音性を有する例えば発泡部材で形成する。そして、これらの第１の反射板９１０および第２の反射板９２０を連結部９３０の硬さ変更手段としての反射板保持溝９３１に互いに摺動可能となるように係合させる。
【００６１】
このような構成では、例えばスリット孔９１１とスリット孔９２１とが重なり合う場合、スピーカから出力された音声は第２の反射板９２０に一部を吸収されて残部を反射し、スリット孔９１１，９２１に入射する音声は反射されずにそのまま通過する。これに対して、スリット孔９１１とスリット孔９２１とを互いに摺動させて、重なっていない状態にした場合、スピーカから出力された音声は、第１の反射板９１０に反射されて、スリット孔９１１およびスリット孔９２１が重なっていた時よりも多くの音声が基準点Ｇに反射される。このため、これらの第１および第２の反射板９１０，９２０を互いに摺動させて重ね合わせ状態を変えることで音量を変更することができる。なお、スリット孔９１１およびスリット孔９２１が重なり合ったときに、これらのスリット孔９１１，９２１を通過した音声が表示パネル３００などの他の部材に反射されて基準点Ｇに戻ってくることも考えられる。この場合、スリット孔９１１に音を吸収する吸音手段としての吸音部材を設けておくと、スリット孔９１１およびスリット孔９２１が重なり合ったときに音声が吸収されることができる。
【００６２】
さらに、第１および第２反射板９１０，９２０として吸音部材を用い、スリット孔９１１に音声を確実に反射する例えばガラスなどの部材を用いる構成としてもよい。この構成では、スリット孔９１１およびスリット孔９２１を重ね合わせると、音声が反射され、スリット孔９１１およびスリット孔９２１とが重ならない場合は音声が反射されない。このような構成では、容易にスピーカから出力される音声を遮断することができる。
【００６３】
さらには、スリット孔９１１に例えば特定の波長の音声のみを吸収するスリット部材を設けてもよい。このような構成では、スリット孔９１１およびスリット孔９２１が重なった場合に、所定の波長の音声のみを遮断して反射させることができる。
【００６４】
なお、図８では、第１および第２の反射板９１０，９２０を用いる例を示したが、これに限らない。例えば、３枚以上の反射板を摺動可能に保持した反射機構であってもよい。また、第１および第２の反射板９１０，９２０にスリット孔９１１，９２１を設けたが、例えば第１の反射板にのみスリット孔が設けられている構成であってもよい。さらには、スリット孔の形状や寸法も、任意に変更することができる。
【００６５】
また、上記のような反射機構９００は、表示パネル３００と基準点Ｇとの間に設けられている構成であってもよく、表示パネル３００の屈曲面３１０に設けられている構成であってもよい。
【００６６】
さらに、本実施の形態の再生システム１００では、演算手段５３３は、屈曲面３１０における音声の入射する領域の略中心を求め、この略中心における屈曲面３１０の屈曲角度を演算したがこれに限らない。例えば、屈曲面３１０の音声が入射する領域全てにおいて屈曲面３１０を演算する処理をしてもよい。屈曲面３１０をこのような処理により設定された屈曲角度に屈曲させると、屈曲面３１０に入射した音声をより効率よく利用者Ｘの耳に向かう方向に反射させることができ、利用者Ｘの耳近傍に集音させることができる。したがって、より音声を聞き取りやすく、臨場感の向上も図れる。
【００６７】
さらには、本実施の形態では、表示パネル３００の左右方向の両端を進退させて屈曲させて屈曲面３１０を形成するが、これに限らず、屈曲面３１０における音声の入射領域が皿状に屈曲されていてもよい。このような構成では、例えば音声が利用者の両端位置の高さより上方向や下方向に向かって出力された場合でも、これらの音声を利用者の両端位置に集音させることができる。したがって、より確実に音声を伝達させることができる。さらに、表示パネルの上下方向から利用者に向かって音声を伝達することができるので、より臨場感を向上させることができる。
【００６８】
上記実施の形態では、音声は、基準点Ｇから表示パネル３００に略垂直に延びる基準線と平行となる方向に向かってスピーカ４００から出力されたが、これに限らない。例えば、スピーカから基準線に対して傾いた角度で音声を出力させてもよい。この場合、距離センサ５３１は、基準点Ｇまでの距離を測定する基準離間距離測定センサと、音声反射位置までの距離を測定する音声反射位置認識手段、および反射位置離間距離認識手段としても機能する反射位置離間距離測定センサと、を備えた構成とすることが好ましい。反射位置離間距離測定センサは、例えば表示パネルに入射した音声の振動を認識する振動検知センサを備えている。そして、振動検知センサにて音声が入射した領域を認識すると、この領域の略中心点となる音声反射中心位置を演算する。そして反射位置離間距離センサは基準線からこの音声反射中心位置までの反射位置離間距離を測定する。
【００６９】
この後、演算手段は、距離センサで認識した基準離間距離Ｌと、離間位置測定センサで認識した利用者の頭部幅寸法Ｎと、反射位置離間距離測定センサにて測定した反射位置離間距離Ｌ２と、に基づいて音声を反射させる反射方向を演算し、屈曲面の屈曲角度を設定する。このような構成することで、例えばスピーカから音声が基準点Ｇと距離センサ５３１とを結ぶ線分方向と平行とならない方向に出力された場合や、スピーカが狭志向性特性を有しない場合でも、音声を正確に利用者Ｘの両端位置に集音させることができる。
【００７０】
また、前記実施の形態では、距離センサ５３１は、利用者Ｘの頭部の両端部を認識し、頭部幅の寸法Ｎを測定する離間位置測定センサを備えているとしたが、これに限らない。例えば、前述したように予め離間位置が設定されていて、演算手段は、この設定された離間位置に音声が伝達されるように屈曲面３１０の屈曲角度を演算する処理をしてもよい。この時設定される離間位置は、例えば基準点Ｇとスピーカ４００の略中点に設定され、演算手段５３３は、この略中点に屈曲面３１０から反射された音声が伝達されるように屈曲面３１０の屈曲角度を調整する。
【００７１】
また、利用者の両端位置を認識せず、音声を基準点Ｇに集音させる構成としてもよい。この場合、屈曲面は、スピーカから出力された音声を放射状に反射させることで、例えば利用者の耳にあたる両端位置にも音声を伝達させることができる。
【００７２】
さらには、スピーカ４００から出力した音声を利用者Ｘの両端位置近傍に集音させるように屈曲面３１０の屈曲角度を設定する構成を示したが、これに限らない。例えば、スピーカから出力された音声は屈曲面に反射されて、放射状に拡がりながら進む構成としてもよい。このような構成では、利用者は広範囲においてスピーカから出力された音声を聞くことができるので、例えば利用者が少し頭の位置をずらしたり、姿勢を変更したりしても、良好に音声を伝達することができる。
〔実施の形態の効果〕
【００７３】
上述したように、本実施の形態の再生システム１００では、基準点Ｇに対向して配置される表示パネルの屈曲面３１０の屈曲角度を、スピーカ４００から出力された音声がこの基準点Ｇに向かう方向に反射される状態に制御をしている。このため、スピーカ４００から出力した音声が利用者Ｘの前方の表示パネル３００側から基準点Ｇに伝達されるため、利用者に良好な音声を伝達できる。
【図面の簡単な説明】
【００７４】
【図１】本実施の形態における再生システムの概略構成を示す斜視図である。
【図２】再生システムの概略構成を示すブロック図である。
【図３】再生システムの音声伝達状況を示す断面図である。
【図４】表示パネルの屈曲状況を示す説明図である。
【図５】本発明に係る他の実施の形態における音声調整装置の概略構成を示す断面図である。
【図６】本発明に係るさらに他の実施の形態における音声調整装置の概略構成を示す断面図である。
【図７】本発明に係るさらに他の実施の形態における音声調整装置の概略構成を示す斜視図である。
【図８】本発明に係るさらに他の実施の形態における音声調整装置の概略構成を示す斜視図である。
【符号の説明】
【００７５】
１００  …  再生装置としての再生システム
３００，８００  …  表示手段としての表示パネル
３１０，８１０  …  反射板としての屈曲面
４００  …  音声出力手段としてのスピーカ
５３１  …  距離認識手段としての距離センサ
５３２  …  角度調整手段としての屈曲手段
５３３  …  演算手段
７００  …  音声調整装置としての音響装置
９００  …  状態変化手段としての反射機構
９１０  …  反射板としての第１の反射板
９１１，９２１  …  通過孔としてのスリット孔
９２０  …  反射板としての第２の反射板
９３１  …  開閉手段、および硬さ変更手段としての反射板保持溝
Ｇ  …  基準点
Ｌ  …  基準離間距離
【図１】
2006030795.tif 000003
【図２】
2006030795.tif 000004
【図３】
2006030795.tif 000005
【図４】
2006030795.tif 000006
【図５】
2006030795.tif 000007
【図６】
2006030795.tif 000008
【図７】
2006030795.tif 000009
【図８】
2006030795.tif 000010